(57)【特許請求の範囲】
【請求項１】
印刷媒体収納装置において、
印刷媒体と、
可動部材と、
を備え、
前記可動部材は、前記印刷媒体の種類に応じた互いに異なる形状と、対応した種類の前記印刷媒体がそれぞれ挿入される複数の開口部とを有し、印刷装置に装着された前記印刷媒体収納装置に収納された前記印刷媒体の種類に応じて配置の状態が変わるように動くことが可能である、
ことを特徴とする印刷媒体収納装置。
【請求項２】
前記可動部材の前記配置の状態を前記印刷装置に特定させる特定部を備える、
ことを特徴とする請求項１に記載の印刷媒体収納装置。
【請求項３】
前記特定部には複数の孔が設けられ、
前記可動部材は、前記印刷媒体の種類に応じて前記複数の孔を開閉するよう前記配置の状態が変わるように動くことが可能である、
ことを特徴とする請求項２に記載の印刷媒体収納装置。
【請求項４】
請求項１から３のいずれか１項に記載の前記印刷媒体収納装置を装着する装着部と、
前記可動部材の前記配置の状態を検出する検出手段を制御して、前記印刷媒体収納装置に収納された前記印刷媒体の種類を判別し、判別した前記印刷媒体の種類に基づいて印刷設定を行う、制御手段と、
を備える、
ことを特徴とする印刷装置。
【請求項５】
印刷媒体と可動部材とを備える印刷媒体収納装置を装着する装着部と、
制御手段と、
を備え、
前記可動部材は、回転部材であり、前記印刷媒体収納装置の筐体の上面及び底面と直交する回転軸を中心に回転可能に形成され、前記回転軸を含む面内に前記回転軸から突出して形成された板状部材を複数備え、前記装着部に装着された前記印刷媒体収納装置に収納された前記印刷媒体の種類に応じて配置の状態が変わるように動くことが可能であり、
前記制御手段は、前記可動部材の前記配置の状態を検出する検出手段を制御して、前記印刷媒体収納装置に収納された前記印刷媒体の種類を判別し、判別した前記印刷媒体の種類に基づいて印刷設定を行い、
前記検出手段は、前記可動部材の前記配置の状態として前記回転部材の回転位置を検出する、
ことを特徴とする印刷装置。
【請求項６】
前記筐体の前記底面に、前記可動部材の回転に伴い前記板状部材によって開閉される複数の孔を備え、
前記検出手段は、前記可動部材の前記配置の状態として前記複数の孔が前記板状部材によって開閉されたか否かを検出する、
ことを特徴とする請求項５に記載の印刷装置。
【請求項７】
前記板状部材は、前記印刷媒体の種類に応じた互いに異なる形状を有し、対応した種類の前記印刷媒体がそれぞれ挿入される複数の開口部を有し、
前記制御手段は、前記印刷媒体の種類として前記印刷媒体の幅を判別し、判別した前記印刷媒体の幅に基づいた印刷幅で前記印刷設定を行う、
ことを特徴とする請求項５又は６に記載の印刷装置。
【請求項８】
前記検出手段は前記装着部の底面に配されている、
ことを特徴とする請求項５から７のいずれか１項に記載の印刷装置。
【発明の詳細な説明】
【技術分野】
【０００１】
本発明は、印刷媒体収納装置及び印刷装置に関する。
【背景技術】
【０００２】
巻き回されたテープ状の印刷媒体を繰り出してその印刷媒体上に印刷を行う印刷装置が知られている。このような技術に関連して、印刷媒体の種類や残量を検知する方法が提案されている。
【０００３】
例えば特許文献１には、印刷媒体を内蔵し、内蔵した印刷媒体の種類に応じた識別情報を有する識別部が設けられたカセットと、装着されたカセットの識別部から識別情報を検出する検出手段を備える印刷装置と、が開示されている。
【先行技術文献】
【特許文献】
【０００４】
【特許文献１】特開２０００−６５０１号公報
【発明の概要】
【発明が解決しようとする課題】
【０００５】
上記のようなカセットでは、環境への配慮等の観点から印刷媒体を入れ替えて用いることができるカセットが望まれている。しかし特許文献１に開示された発明では、カセットに収納された印刷媒体を交換することができないという問題があった。
【０００６】
本発明は上記の問題を解決するためのものであり、収納された印刷媒体を交換でき、収納した印刷媒体の種類に対応して変更可能な識別構造を有する印刷媒体収納装置と、その識別構造から印刷媒体の種類を判別する印刷装置と、を提供することを目的とする。
【課題を解決するための手段】
【０００７】
上記目的を達成するため、本発明に係る印刷媒体収納装置は、
印刷媒体収納装置において、
印刷媒体と、
可動部材と、
を備え、
前記可動部材は、前記印刷媒体の種類に応じた互いに異なる形状と、対応した種類の前記印刷媒体がそれぞれ挿入される複数の開口部とを有し、印刷装置に装着された前記印刷媒体収納装置に収納された前記印刷媒体の種類に応じて配置の状態が変わるように動くことが可能である、
ことを特徴とする。
【０００８】
また、上記目的を達成するため、本発明に係る印刷装置は、
印刷媒体と可動部材とを備える印刷媒体収納装置を装着する装着部と、
制御手段と、
を備え、
前記可動部材は、回転部材であり、前記印刷媒体収納装置の筐体の上面及び底面と直交する回転軸を中心に回転可能に形成され、前記回転軸を含む面内に前記回転軸から突出して形成された板状部材を複数備え、前記装着部に装着された前記印刷媒体収納装置に収納された前記印刷媒体の種類に応じて配置の状態が変わるように動くことが可能であり、
前記制御手段は、前記可動部材の前記配置の状態を検出する検出手段を制御して、前記印刷媒体収納装置に収納された前記印刷媒体の種類を判別し、判別した前記印刷媒体の種類に基づいて印刷設定を行い、
前記検出手段は、前記可動部材の前記配置の状態として前記回転部材の回転位置を検出する、
ことを特徴とする。
【発明の効果】
【０００９】
上記解決手段によれば、収納された印刷媒体を交換でき、収納した印刷媒体の種類に対応して変更可能な識別構造を有する印刷媒体収納装置と、その識別構造から印刷媒体の種類を判別する印刷装置と、を提供することができる。
【図面の簡単な説明】
【００１０】
【図１】本発明の実施形態に係る印刷装置の斜視図である。
【図２】（ａ）は本発明の実施形態に係るテープを収納したテープカートリッジの外観平面図、（ｂ）はテープカートリッジがカートリッジ装着部に装着された状態における断面図である。
【図３】本発明の実施形態に係る本体装置のブロック図である。
【図４】（ａ）は本発明の実施形態に係るテープカートリッジの上面図、（ｂ）は底面図である。
【図５】（ａ）は本発明の実施形態に係る回転部材の上面側から見た斜視図、（ｂ）は回転部材の底面図、（ｃ）は底面を上にした回転部材の左側面図、（ｄ）はその正面図、（ｅ）はその右側面図である。
【図６】（ａ）は本発明の実施形態に係るテープカートリッジの回転部材を除いた筐体部分の斜視図、（ｂ）は回転部材の一使用例、（ｃ）はテープを通した様子、（ｄ）は回転部材の他の使用例、（ｅ）はテープを通した様子、（ｆ）は回転部材の他の使用例、（ｇ）はテープを通した様子である。
【図７】（ａ）は本発明の実施形態に係るセンサの配置、（ｂ）はセンサの検出状態例を示す断面図、（ｃ）は検出結果に対応するテープ幅を示す検出結果対応テーブルである。
【図８】（ａ）は本発明の実施形態における回転部材に反射部材を付した例、（ｂ）は透過孔を形成した例である。
【図９】本発明の実施形態におけるテープカートリッジにスライド部材を配した例である。
【発明を実施するための形態】
【００１１】
以下、本発明の実施形態を、図面を参照しながら説明する。
この実施形態においては、印刷媒体の一例であるテープに印刷する印刷装置（ラベルプリンタ）を例にとって説明する。なお、以下に説明する実施形態における数値や態様はあくまで例示であり、これに限定するものではない。
【００１２】
図１は、印刷装置１０の本体装置２０とテープカートリッジ（印刷媒体収納装置）３５の斜視図である。図１の上方に本体装置２０に装着されて用いられるテープカートリッジ３５を、図１の右下に手書き入力のためのタッチペン６４を示している。
【００１３】
図１に示すように、本体装置２０は、筐体２１の手前側に入力部２２、奥側にタッチパネル２４とテープカートリッジ装着部（受容部）２５と、を備える。
【００１４】
入力部２２は、印刷開始キー、書式設定キー、手書き認識キー、印刷モード選択キーなどの複数の操作キー２３を備える。
【００１５】
タッチパネル２４は、印刷モード選択のための印刷モード選択メニューなど各種メニュー画面を表示する。また、ユーザは、このタッチパネル２４に、タッチペン６４によりパターンを手書き入力する。
【００１６】
テープカートリッジ装着部２５には、サーマルヘッド２６が揺動自在に配設され、このサーマルヘッド２６に対向して、プラテンローラ２７が配設されている。そして、サーマルヘッド２６を取り巻くようにテープ案内ローラ２８、テープリール支持ピン２９、インクリボン巻き取り駆動軸３１、テープカッタ３２が配設されている。テープカッタ３２の右方にはテープ排出口３３が形成されている。
【００１７】
テープカートリッジ装着部２５の底面２５ｄには、図２（ｂ）のＡ部詳細図に示すように、装着部貫通孔２５ａ、２５ｂ、２５ｃが形成されている。また装着部貫通孔２５ａ、２５ｂ、２５ｃの下部（内部）には図示せぬセンサ１６０（１６０ａ、１６０ｂ、１６０ｃ）がそれぞれ配設されている。このセンサ１６０については後述する。
【００１８】
テープカートリッジ装着部２５にテープカートリッジ３５が装着されると、テープリール孔３７にテープリール支持ピン２９が係合し、インクリボン巻き取りリール孔３８にインクリボン巻き取り駆動軸３１が係合する。
【００１９】
テープ３６は、長尺状の印刷媒体であって、被印刷面体と、その被印刷面体の裏面に被着する接着剤層と、この接着剤層に剥離自在に貼付された剥離紙と、を積層してなる。ユーザは、印刷後のテープ３６を貼付対象物（例えば、本など）に貼って使用する。
【００２０】
テープ３６は、テープの幅、色（透明、有色）、文字・デザイン・模様などを施したもの、マグネットテープ、粘着テープや抗菌テープなどのように種々の性質や機能を備えたものなど、多くの種類がある。
【００２１】
テープカートリッジ３５は、幅が９ｍｍ、１２ｍｍ、１８ｍｍの３種類のテープ３６を入れ替えて用いるためのものである。なお、幅が９ｍｍ、１２ｍｍ、１８ｍｍというのは単なる例示であってこれに限定するものではない。テープカートリッジ３５は、テープ３６の幅に対応してユーザがその向きを変更できる可動部材を備える。センサ１６０はその向きを検出し、本体装置２０は検出結果からテープ３６の幅を判別して印刷設定を行い、印刷する。この可動部材、その向きの検出方法及びテープ幅の判別方法については後述する。
【００２２】
図２（ａ）は、テープ３６を収納したテープカートリッジ３５の外観平面図であり、図２（ｂ）は、そのテープカートリッジ３５がテープカートリッジ装着部２５に装着された状態における断面図である。
【００２３】
テープカートリッジ３５は、テープリール４２に巻着されたテープ３６と、インクリボンリール４４に巻着されたインクリボン４５と、を備える。テープカートリッジ３５の上部に形成されている凹部４６（図２（ｂ）参照）には、テープ３６とインクリボン４５とが重ねて差し渡されている。
【００２４】
印刷の際は、サーマルヘッド２６がテープ３６の方向に揺動して、その先端に配設されている発熱体がインクリボン４５及びテープ３６を介してプラテンローラ２７に圧接し、インクリボン４５のインクをテープ３６の被印刷面体に熱転写する。その後、インクリボン４５は、インクリボン巻き取りリール４７に巻き取られる。一方で、テープ３６は、テープ排出口３３（図１参照）から外部に排出され、テープカッタ３２により切り落とされる。この流れでテープ３６が印刷される。
【００２５】
次に、図３を参照しながら、本体装置２０の回路構成について説明する。
本体装置２０は、制御部５０、タッチパネル２４、ＲＯＭ（Read Only Memory）６０、ＲＡＭ(Random Access Memory)６５、テープ印刷部８０、センサ１６０を備える。
【００２６】
制御部５０は、例えばＣＰＵ（Central Processing Unit）などから構成される。制御部５０は、ＲＯＭ６０に記憶されている印刷制御及びセンサ制御に係るプログラムを読み出して実行し、例えばセンサ１６０からの検出信号と、ＲＯＭ６０に記憶されている、検出信号とテープ幅との対応関係を示す検出結果対応テーブルと、に基づいてテープ３６の幅を判別する動作等を実行する。
【００２７】
ＲＯＭ６０は、印刷制御に係るプログラムや、図７（ｃ）に例示する検出結果対応テーブル等を記憶する不揮発性の記憶部である。
ＲＡＭ６５は、手書き入力されたパターンや印刷長、制御部５０が判別したテープ幅など印刷に必要な情報を含む印刷データを、印刷前に一時的に記憶する記憶部である。
【００２８】
テープ印刷部８０は、ヘッド駆動回路８１、ローラ駆動回路８２、カッタ駆動回路８３を備える。
ヘッド駆動回路８１は、制御部５０の制御に基づいて、サーマルヘッド２６を発熱させるように駆動する。
ローラ駆動回路８２は、制御部５０のモータ制御に基づいて、プラテンローラ２７やインクリボン巻取軸３１を回転させるように駆動する。
カッタ駆動回路８３は、制御部５０の制御に基づいて、テープカッタ３２を駆動する。
【００２９】
先に説明したようにテープカートリッジ３５は異なる幅のテープ３６を入れ替えて利用する。そのため、ユーザが可動部材をテープ３６の幅に対応した所定の向きに回転配置できるようになっており、配置の状態としてのその向きはセンサ１６０で検出される。以下にテープカートリッジ３５の可動部材とセンサ１６０とについて説明する。
【００３０】
テープカートリッジ３５は、テープカートリッジ３５に収納されているテープ３６の幅に応じたガイド用の開口部を有する回転部材（可動部材）１００を備える。
【００３１】
回転部材１００は、図４（ａ）及び図４（ｂ）に示すようにテープカートリッジ３５の一端部に配設され、テープカートリッジ３５の筐体の上面３５ａ及び底面３５ｂに直交する回転軸を中心に回転させることができる。回転部材１００は印刷終了後のテープ３６がテープカッタ３２に送られる直前の位置に配置され、テープ３６が通過できるようにテープ３６の幅に応じた幅Ｗを持つ互いに異なる形状の開口部を複数有している。テープ３６はこの開口部を通過してテープカッタ３２に送られる。
【００３２】
なお、テープカートリッジ３５の上面３５ａとは、テープカートリッジを本体装置２０のテープカートリッジ装着部２５に装着したとき、上になる面であり、底面３５ｂとはその反対側の面であってテープカートリッジ装着部２５の底面に接する部分である。
【００３３】
回転部材１００は、図５（ａ）に示すように回転軸ＡＸを有する。回転部材１００の回転軸端部１０２は、テープカートリッジ３５の筐体の上面３５ａの回転軸端部係止孔１０７（図６（ａ）参照）に係止される。回転軸端部１０４は、テープカートリッジ３５の筐体の底面３５ｂの回転軸端部係止孔１０６（図６（ａ）参照）に係止される。
【００３４】
また図５（ａ）に示すように回転軸ＡＸから、第１板状部材１１０、第２板状部材１２０及び第３板状部材１３０がそれぞれ回転軸ＡＸを含む面内に（回転扉の各扉のように）回転軸ＡＸから突出するように形成されている。
【００３５】
図５（ｂ）に示すように、第１板状部材１１０と第２板状部材１２０との間の角度は９０°であり、第２板状部材１２０と第３板状部材１３０との間の角度も９０°である。また、第１板状部材１１０の底面部を第１底面部１１６、第２板状部材１２０の底面部を第２底面部１２６、第３板状部材１３０の底面部を第３底面部１３６という（理解を容易にするため各底面部を網掛けで示す）。なお、図５（ｂ）は回転部材１００の底面図を示しており、図５（ｃ）〜図５（ｅ）は図の上側が底面側である。
【００３６】
図５（ｃ）〜図５（ｅ）に示すように、第１板状部材１１０、第２板状部材１２０、第３板状部材１３０には、幅Ｗの異なる矩形の第１開口部１１２、第２開口部１２２、第３開口部１３２がそれぞれ設けられている。これらの開口部１１２、１２２、１３２はテープ３６が通過するガイド部分であり、各開口部１１２、１２２、１３２の幅Ｗは通過する３種類のテープ３６のそれぞれの幅に余裕を持たせた長さである。このような開口部１１２、１２２、１３２を有する板状部材１１０、１２０、１３０を、ちょうど回転扉を回転させるように回転させて筐体から突出する向きに配置して用いる。
【００３７】
例えば、幅が９ｍｍのテープ３６ａをテープカートリッジ３５に収納して用いる場合は、その幅に合わせた第１開口部１１２を有する第１板状部材１１０がテープカートリッジ３５の筐体から突出する向きに回転させて配置する。幅が１２ｍｍのテープ３６ｂを収納して用いる場合は、その幅に合わせた第２開口部１２２を有する第２板状部材１２０が筐体から突出する向きに回転位置を調整して用いる。幅が１８ｍｍのテープ３６ｃを収納して用いる場合は、その幅に合わせた第３開口部１３２を有する第３板状部材１３０が筐体から突出する向きに回転位置を調整して用いる。
【００３８】
図６（ａ）に示すように、回転部材１００の回転軸端部１０４を回転可能に係止するテープカートリッジ３５の筐体の底面３５ｂ（特定部）には、第１筐体貫通孔１５０ａ、第２筐体貫通孔１５０ｂ、第３筐体貫通孔１５０ｃが設けられている。３つの筐体貫通孔１５０ａ、１５０ｂ、１５０ｃは、回転部材１００の回転に伴い第１底面部１１６、第２底面部１２６、第３底面部１３６のいずれかの底面部で覆閉されて（覆われて閉孔されて）開閉されるように、回転軸端部１０４からの位置が９０°間隔で離れて配置されている。なお中央の孔は回転軸端部１０４を係止する回転軸端部係止孔１０６である。
【００３９】
例えば幅９ｍｍのテープ３６ａを用いる場合、図６（ｂ）に示すように、第１板状部材１１０がテープカートリッジ３５の筐体から突出するように回転部材１００を回転させる。すると第１筐体貫通孔１５０ａはどの底面部からも覆閉されず、第２筐体貫通孔１５０ｂは第３底面部１３６により覆閉され、第３筐体貫通孔１５０ｃは第２底面部１２６によって覆閉される。この状態で幅９ｍｍのテープ３６ａを第１開口部１１２に通した様子を図６（ｃ）に示す。
【００４０】
幅１２ｍｍのテープ３６ｂを用いる場合、図６（ｄ）に示すように、第２板状部材１２０が筐体から突出するように回転させる。すると第１筐体貫通孔１５０ａは第１底面部１１６により覆閉され、第２筐体貫通孔１５０ｂはどの底面部からも覆閉されず、第３筐体貫通孔１５０ｃは第３底面部１３６により覆閉される。この状態で幅１２ｍｍのテープ３６ｂを第２開口部１２２に通した様子を図６（ｅ）に示す。
【００４１】
幅１８ｍｍのテープ３６ｃを用いる場合、図６（ｆ）に示すように、第３板状部材１３０が筐体から突出するように回転させる。すると第１筐体貫通孔１５０ａは第２底面部１２６により覆閉され、第２筐体貫通孔１５０ｂは第１底面部１１６により覆閉され、第３筐体貫通孔１５０ｃはどの底面部からも覆閉されない。この状態で幅１８ｍｍのテープ３６ｃを第３開口部１３２に通した様子を図６（ｇ）に示す。
【００４２】
上述のように、テープ３６の幅に応じていずれかの板状部材を所定の位置に回転させたとき、テープカートリッジ３５の筐体底面３５ｂに設けた第１筐体貫通孔１５０ａ、第２筐体貫通孔１５０ｂ、第３筐体貫通孔１５０ｃのいずれかが覆閉され、いずれかが覆閉されないという識別構造を構成する。この組み合わせはどの板状部材を用いるかによって一義的に定まる。そこでどの筐体貫通孔が覆閉され、どの筐体貫通孔が覆閉されないかを検出することで筐体から突出している（テープ３６が通過する）板状部材を認識できる。
【００４３】
上記の識別構造はセンサ１６０を用いて検出する。具体的には、センサ１６０は３つのセンサ１６０ａ、１６０ｂ、１６０ｃから構成されており、センサ１６０ａ、１６０ｂ、１６０ｃはそれぞれ筐体貫通孔１５０ａ、１５０ｂ、１５０ｃが覆閉されたか否かの検出を行う。以下にセンサ１６０（１６０ａ、１６０ｂ、１６０ｃ）の構成、識別構造の検出方法及びテープ幅の判別方法を説明する。
【００４４】
図２（ｂ）に戻って、テープカートリッジ装着部２５の底面２５ｄのＡ部には第１装着部貫通孔２５ａ、第２装着部貫通孔２５ｂ、第３装着部貫通孔２５ｃが形成されている。第１装着部貫通孔２５ａ、第２装着部貫通孔２５ｂ、第３装着部貫通孔２５ｃは、テープカートリッジ３５をテープカートリッジ装着部２５に装着したときに、テープカートリッジ３５の筐体底面３５ｂに設けた第１筐体貫通孔１５０ａ、第２筐体貫通孔１５０ｂ、第３筐体貫通孔１５０ｃとそれぞれ重なる位置に形成されている。
【００４５】
第１装着部貫通孔２５ａ、第２装着部貫通孔２５ｂ、第３装着部貫通孔２５ｃの直下部（テープカートリッジ装着部２５の底面２５ｄの内側）には、図７（ａ）に示すようにそれぞれ第１センサ１６０ａ、第２センサ１６０ｂ、第３センサ１６０ｃが配置されている。各センサ１６０ａ、１６０ｂ、１６０ｃは、それぞれ第１アクチュエータ１６１ａ、第２アクチュエータ１６１ｂ、第３アクチュエータ１６１ｃ及び第１プローブ（伸縮探子）１６２ａ、第２プローブ１６２ｂ、第３プローブ１６２ｃから構成されている。
【００４６】
各プローブ１６２ａ〜１６２ｃは各アクチュエータ１６１ａ〜１６１ｃによって伸縮可能であり、伸びた状態では各装着部貫通孔２５ａ〜２５ｃ（点線で示す）を貫通する位置に配されている。各プローブ１６２ａ〜１６２ｃは、制御部５０から検出指示があったとき以外は縮んでおり、装着部貫通孔２５ａ〜２５ｃよりも内側に収容されている。
【００４７】
先に説明したように、第１板状部材１１０が筐体から突出している場合、第１筐体貫通孔１５０ａはどの底面部からも覆閉されず、第２筐体貫通孔１５０ｂは第３底面部１３６により覆閉され、第３筐体貫通孔１５０ｃは第２底面部１２６によって覆閉される。そして各筐体貫通孔１５０ａ〜１５０ｃはそれぞれ各装着部貫通孔２５ａ〜２５ｃに重なっている。この状態で各センサ１６０ａ〜１６０ｃの各プローブ１６２ａ〜１６２ｃを伸ばすと、図７（ｂ）に示すように第１プローブ１６２ａは第１装着部貫通孔２５ａと第１筐体貫通孔１５０ａとを突き抜けて伸びるが、第３プローブ１６２ｃ（と第２プローブ１６２ｂ）は覆閉している第２底面部１２６（と第３底面部１３６）に突き当たって伸びることができない。なお図７（ｂ）はセンサ１６０ａと１６０ｃとの中心軸を含む断面で示したものであり、センサ１６０ｂは図示されていない。
【００４８】
センサ１６０ａ〜１６０ｃは、プローブ１６２ａ〜１６２ｃが筐体貫通孔１５０ａ〜１５０ｃの位置を超えて伸びればオンと、筐体貫通孔１５０ａ〜１５０ｃの位置までしか伸びなければオフと検出する。
【００４９】
このように、各センサ１６０ａ〜１６０ｃのプローブ１６２ａ〜１６２ｃを伸ばして突き抜けるか否かを検出することにより、回転部材１００のどの板状部材１１０、１２０、１３０が突出した状態にあるか、つまりどの幅のテープを用いているかを検出できる。図７（ｃ）は、各センサ１６０ａ〜１６０ｃの検出結果と使用するテープの幅（回転部材の位置）を示す、ＲＯＭ６０に記憶した検出結果対応テーブルを示す。ここで「オン」とはプローブが突き抜けた状態、「オフ」とはプローブが突き当たって伸びることができない状態を示す。
【００５０】
図７（ｂ）の例では、センサ１６０ａはオン、センサ１６０ｂはオフ、センサ１６０ｃはオフと検出される。各センサ１６０ａ〜１６０ｃの検出結果は本体装置２０の制御部５０に送られ、制御部５０は使用するテープ幅は９ｍｍと判別する。制御部５０はその情報に基づいて印刷幅等の必要な印刷設定を行う。
【００５１】
次に、上記のような構成の印刷装置１０の動作について説明する。
【００５２】
まず、ユーザがテープカートリッジ３５に例えば９ｍｍの幅のテープ３６ａを入れ、回転部材１００の板状部材１１０が筐体から突出するように回転させてセットし、そのテープカートリッジ３５を本体装置２０のテープカートリッジ装着部２５に装着する。
【００５３】
ユーザが印刷装置１０の電源を投入すると、本体装置２０の制御部５０はセンサ１６０を制御して縮んだ状態にあるプローブ１６２ａ〜１６２ｃを上方に伸ばし、筐体貫通孔１５０ａ〜１５０ｃが覆閉されているか否かを検出（オン又はオフ）する。
【００５４】
もしも電源が投入されている状態でユーザがテープカートリッジ３５を装着したときは、図示しないセンサが装着を検知し、それを受信した制御部５０は上記のようにセンサ１６０を制御する。筐体貫通孔１５０ａ〜１５０ｃの覆閉の有無を正常に検出できた場合は、制御部５０はプローブ１６２ａ〜１６２ｃを縮んだ状態に戻す。正常に検出できなかった場合はエラー情報を報知する。
【００５５】
次に制御部５０は、センサ１６０が検出した結果とＲＯＭ６０に記憶された検出結果対応テーブルとを参照して、テープ幅が９ｍｍであると判別する。そして制御部５０は印刷時に、図３に示すテープ印刷部８０のヘッド駆動回路８１を制御して、９ｍｍテープ３６ａの印刷範囲内に収まるように印刷幅を設定して印刷処理を行う。
【００５６】
このように、テープカートリッジ３５に異なる幅のテープ３６を入れ替えて使用する場合でも、本体装置２０の印刷幅の設定変更をユーザが行う必要がなく、テープ３６の交換利用が容易となる。
【００５７】
（変形例）
上記実施形態では、回転部材１００が所定の位置でテープカートリッジ３５の筐体に設けた筐体貫通孔１５０ａ〜１５０ｃを覆閉することができる構成とし、覆閉される貫通孔の組み合わせを伸縮可能なプローブ１６２ａ〜１６２ｃを備えたセンサ１６０で検出して、テープの幅（用いる開口部）を判別する。
【００５８】
しかし検出手法自体は任意である。例えば、筐体貫通孔１５０が覆閉されたか否かをフォトセンサで検出してもよい。つまり、プローブセンサ１６０ａ〜１６０ｃの代わりに発光装置とフォトセンサとを配置して反射光を検出したか否かで、覆閉されたか否かを検出してもよい。このような実施形態では、可動部のないセンサを用いることができる。
【００５９】
また、回転部材１００の板状部材１１０、１２０、１３０は、外形及び断面形ともに矩形としたが、その形状は任意であり、筐体貫通孔１５０ａ〜１５０ｃを覆閉することができればよい。例えば、外形、断面形ともかまぼこ形のように曲線を含む形状でもよい。
【００６０】
上記実施形態では、回転部材１００の板状部材１１０、１２０、１３０とテープカートリッジ筐体の筐体貫通孔１５０ａ〜１５０ｃとの組み合わせで識別構造を構成し、これをセンサ１６０で検出する実施形態である。
【００６１】
しかし識別構造は任意であり、例えば回転部材１００の板状部材１１０、１２０、１３０の所定箇所に光線等を反射できる反射部材や、光線等を透過する透過孔等の識別パターンをその位置や数を変えて設け、それに光線等を照射して反射してくる光線、あるいは透過する光線等の数や位置をフォトセンサで検出してどの板状部材が用いられているかを認識してもよい。これは回転部材だけに識別構造を構成してセンサで検出する実施形態である。
【００６２】
具体的には例えば、紫外光、可視光又は赤外光の１つの発光装置と、その反射光を受光する位置に受光素子（フォトセンサ）を本体装置に備え、これらの光線を反射する光線反射部材を回転部材１００の板状部材１１０〜１３０にその数又は位置を変えて１つ以上貼着し、反射光の数又は位置により識別構造を検出するように構成してもよい。図８（ａ）は、第１板状部材１１０に１つの反射部材１７０を付し、第３板状部材１３０には３つの反射部材１７０を付した回転部材２００の右側面図である（板状部材と開口部との符号は上記の実施形態と同じ）。この実施形態ではフォトセンサに受光した反射光の数により各板状部材の配置を検出する。図示しないが第２板状部材１２０には２つの反射部材１７０を付している。
【００６３】
また回転部材に透過孔をその数又は位置を変えて設けて、透過光を受光する位置にフォトセンサを配して、受光する透過光の数又は位置を検出するようにしてもよい。図８（ｂ）は、第１板状部材１１０に１つの透過孔１８０を形成し、第３板状部材１３０には３つの透過孔１８０を形成した回転部材２０１の右側面図である（板状部材と開口部との符号は上記の実施形態と同じ）。この実施形態ではフォトセンサに受光した透過光の数により各板状部材の配置を検出する。図示しないが第２板状部材１２０には２つの透過孔１８０を形成している。このような実施形態では、発光装置とフォトセンサとは本体装置のテープカートリッジ装着部の側面部に備える。
【００６４】
上記実施形態では、制御部５０はテープカートリッジ３５に収納されたテープ３６のテープ幅を判別するものとした。しかし判別するテープの種類は任意である。例えば、テープの種類として色や模様（パターン）の有無とその種類、材質、機能的性質など、さまざまな種類を判別するようにしてもよい。そのためには、回転部材として開口部を設けたテープガイド部材でなくともよい。例えば、光線反射部材や光線透過孔の数と位置を回転させることにより変化させる部材を用いてもよい。また識別構造を組み合わせることで、更に多種のテープの種類を判別できる。そして判別したテープの種類を基に、制御部５０がその種類に応じた印刷設定を行うことができる。
【００６５】
上記実施形態では、回転部材１００は３つの板状部材１１０、１２０、１３０を有している。しかし板状部材の数は任意である。例えば、９０°間隔で４つの板状部材を十字型に設けてもよい。この場合、上記実施形態のように構成すると筐体貫通孔１５０ａ〜１５０ｃはいつでも板状部材によって覆閉されることになる。そのため、４つの板状部材を設ける場合は、板状部材の底面部の筐体貫通孔１５０ａ〜１５０ｃに対応する位置にプローブが入る孔を設けておく。この孔は１カ所又は２カ所でよい。そしてセンサ１６０ａ〜１６０ｃを同じように構成してどのプローブが孔に入るかで板状部材の配置を検出することができる。
【００６６】
上記実施形態では、可動部材として回転部材１００を用いた。しかし可動部材の種類は任意である。例えば、スライド式の可動部材を用いて筐体に対するその配置を変更可能な構成としてもよい。スライド式の可動部材は、テープカートリッジ３５の筐体によって筐体の側面に水平方向又は垂直方向にスライド可能に保持され、筐体におけるその位置を変更可能なように構成される。複数の開口部がスライド部材に形成され、スライドすることで開口部を選択する。そしてスライドした位置を検出するように透過孔や光線反射部材とその検出センサを組み合わせればよい。また、開口部を有しないスライド部材を用いてもよい。
【００６７】
図９は、スライド部材１９０が筐体側面に平行に矢印Ｘのようにスライド可能に保持されているテープカートリッジ１８５の斜視図である。スライド部材１９０にはテープ３６が通過する、テープ幅に対応した幅を持つ３つの開口部１９１、１９２、１９３が設けられており、その下部に反射部材１９４が各開口部にそれぞれ３つ、２つ、１つずつ付されている。内蔵するテープ３６の幅に応じてスライド部材１９０をスライドさせてテープカートリッジ装着部２５に装着したときに、テープカートリッジ装着部２５の側面に設けた発光装置（不図示）から発光され反射部材１９４によって反射された反射光をフォトセンサ（不図示）によって検出して、制御部５０はその数によってテープ幅を判別する。
【００６８】
また上記実施形態では、センサはプローブが筐体貫通孔１５０ａ〜１５０ｃを貫通するか否かのオン、オフ検出であるが、検出形式は任意である。例えば孔の深さを段階的又は連続的に検出するものでもよい。このようにすれば、板状部材の底面部にそれぞれ深さの異なる孔を開けておき、１つのセンサで各板状部材の孔の深さを検出することにより、各板状部材の回転位置を検出することができる。
【００６９】
識別構造とセンサとの組み合わせは上記に限らず、各種識別構造に適した各種センサを適用することができる。
【００７０】
また上記実施形態では、テープ３６は被印刷面体とその被印刷面体の裏面に被着する接着剤層とこの接着剤層に剥離自在に貼付された剥離紙と、を積層したものであり、サーマルヘッドでインクリボンからテープに熱転写するタイプの印刷媒体である。しかし、印刷媒体は任意であり、例えばインクリボンであってもよい。その場合は、例えば本体部に被印刷面体を配置しそれにインクリボンを当ててサーマルヘッドで熱転写する構成とすればよい。あるいは印刷媒体はテープとインクリボンとのセットであってもよい。
【００７１】
以上、本発明の実施形態について説明したが、これらは例示に過ぎず、本発明の技術的範囲を限定するものではない。本発明はその他の様々な実施形態をとることが可能であり、さらに、本発明の要旨を逸脱しない範囲で、省略や置換等種々の変更を行うことができる。これらの実施形態やその変形例は、特許請求の範囲に記載された発明とその均等の範囲とに含まれる。以下に、本願出願当初の特許請求の範囲に記載された発明を付記する。
【００７２】
（付記１）
印刷媒体収納装置において、
印刷媒体と、
可動部材と、
を備え、
前記可動部材は、印刷装置に装着された前記印刷媒体収納装置に収納された前記印刷媒体の種類に応じて配置の状態が変わるように動くことが可能である、
ことを特徴とする印刷媒体収納装置。
【００７３】
（付記２）
前記可動部材の前記配置の状態を前記印刷装置に特定させる特定部を備える、
ことを特徴とする付記１に記載の印刷媒体収納装置。
【００７４】
（付記３）
前記特定部には複数の孔が設けられ、
前記可動部材は、前記印刷媒体の種類に応じて前記複数の孔を開閉するよう前記配置の状態が変わるように動くことが可能である、
ことを特徴とする付記２に記載の印刷媒体収納装置。
【００７５】
（付記４）
前記可動部材は、前記印刷媒体の種類に応じた互いに異なる形状を有し、対応した種類の前記印刷媒体がそれぞれ挿入される複数の開口部を有する、
ことを特徴とする付記１から３のいずれか１つに記載の印刷媒体収納装置。
【００７６】
（付記５）
付記１から４のいずれか１つに記載の前記印刷媒体収納装置を装着する装着部と、
前記可動部材の前記配置の状態を検出する検出手段を制御して、前記印刷媒体収納装置に収納された前記印刷媒体の種類を判別し、判別した前記印刷媒体の種類に基づいて印刷設定を行う、制御手段と、
を備える、
ことを特徴とする印刷装置。
【００７７】
（付記６）
前記可動部材は、回転部材であり、前記印刷媒体収納装置の筐体の上面及び底面と直交する回転軸を中心に回転可能に形成され、前記回転軸を含む面内に前記回転軸から突出して形成された板状部材を複数備え、
前記検出手段は、前記可動部材の前記配置の状態として前記回転部材の回転位置を検出する、
ことを特徴とする付記５に記載の印刷装置。
【００７８】
（付記７）
前記筐体の前記底面に、前記可動部材の回転に伴い前記板状部材によって開閉される複数の孔を備え、
前記検出手段は、前記可動部材の前記配置の状態として前記複数の孔が前記板状部材によって開閉されたか否かを検出する、
ことを特徴とする付記６に記載の印刷装置。
【００７９】
（付記８）
前記板状部材は、前記印刷媒体の種類に応じた互いに異なる形状を有し、対応した種類の前記印刷媒体がそれぞれ挿入される複数の開口部を有し、
前記制御手段は、前記印刷媒体の種類として前記印刷媒体の幅を判別し、判別した前記印刷媒体の幅に基づいた印刷幅で前記印刷設定を行う、
ことを特徴とする付記６又は７に記載の印刷装置。
【００８０】
（付記９）
前記検出手段は前記装着部の底面に配されている、
ことを特徴とする付記５から８のいずれか１つに記載の印刷装置。
【符号の説明】
【００８１】
１０…印刷装置、２０…本体装置、２１…本体装置の筐体、２２…入力部、２３…操作キー、２４…タッチパネル、２５…テープカートリッジ装着部、２５ａ…第１装着部貫通孔、２５ｂ…第２装着部貫通孔、２５ｃ…第３装着部貫通孔、２５ｄ…テープカートリッジ装着部の底面、２６…サーマルヘッド、２７…プラテンローラ、２８…テープ案内ローラ、２９…テープリール支持ピン、３１…インクリボン巻き取り駆動軸、３２…テープカッタ、３３…テープ排出口、３５…テープカートリッジ（印刷媒体収納装置）、３５ａ…テープカートリッジ筐体上面、３５ｂ…テープカートリッジ筐体底面、３６…テープ（印刷媒体）、３６ａ…幅９ｍｍのテープ、３６ｂ…幅１２ｍｍのテープ、３６ｃ…幅１８ｍｍのテープ、３７…テープリール孔、３８…インクリボン巻き取りリール孔、４２…テープリール、４４…インクリボンリール、４５…インクリボン、４６…凹部、４７…インクリボン巻き取りリール、５０…制御部、６０…ＲＯＭ、６４…タッチペン、６５…ＲＡＭ、８０…テープ印刷部、８１…ヘッド駆動回路、８２…ローラ駆動回路、８３…カッタ駆動回路、８４…センサ駆動・検出部、１００…回転部材、１０２…回転軸端部、１０４…回転軸端部、１０６…回転軸端部係止孔、１０７…回転軸端部係止孔、１１０…第１板状部材、１１２…第１開口部、１１６…第１底面部、１２０…第２板状部材、１２２…第２開口部、１２６…第２底面部、１３０…第３板状部材、１３２…第３開口部、１３６…第３底面部、１５０ａ…第１筐体貫通孔、１５０ｂ…第２筐体貫通孔、１５０ｃ…第３筐体貫通孔、１６０ａ…第１センサ（検出手段）、１６０ｂ…第２センサ（検出手段）、１６０ｃ…第３センサ（検出手段）、１６１ａ…第１アクチュエータ、１６１ｂ…第２アクチュエータ、１６１ｃ…第３アクチュエータ、１６２ａ…第１プローブ、１６２ｂ…第２プローブ、１６２ｃ…第３プローブ、１７０…反射部材、１８０…透過孔、１８５…テープカートリッジ、１９０…スライド部材、１９１…開口部、１９２…開口部、１９３…開口部、１９４…反射部材、２００…回転部材、２０１…回転部材
【図１】
0006528493.tif 000002
【図２】
0006528493.tif 000003
【図３】
0006528493.tif 000004
【図４】
0006528493.tif 000005
【図５】
0006528493.tif 000006
【図６】
0006528493.tif 000007
【図７】
0006528493.tif 000008
【図８】
0006528493.tif 000009
【図９】
0006528493.tif 000010